(57)【要約】【課題】ケースの温度上昇を抑えた調光装置及びそれを用いた調光盤を提供する。【解決手段】調光装置１は、少なくともトライアックＱ１が実装される基板１３と、基板１３が収納されるケース１０とを備える。基板１３は、トライアックＱ１が実装される第１の面１３１と、基板１３における第１の面１３１と反対側の第２の面１３２とを有する。そして、基板１３は、ケース１０における第１の面１３１との対向面から第１の面１３１を離し、且つケース１０における第２の面１３２との対向面から第２の面１３２を離した状態でケース１０に収納される。【選択図】図１
2015204204.tif 000002
【特許請求の範囲】
【請求項１】
少なくとも発熱部品が実装される基板と、前記基板が収納されるケースとを備え、
前記基板は、前記発熱部品が実装される第１の面を、前記ケースにおける前記第１の面との対向面から離し、且つ前記基板における前記第１の面と反対側の第２の面を、前記ケースにおける前記第２の面との対向面から離した状態で前記ケースに収納されることを特徴とする調光装置。
【請求項２】
前記発熱部品に熱的に結合された放熱部品が前記基板に実装されており、
前記ケースは、内部に設けられた隔壁により分割された第１の収納部及び第２の収納部を有し、
前記第１の収納部の側面部には、前記ケースの内部と外部とをつなぐ通気孔が設けられており、
前記基板は、前記発熱部品及び前記放熱部品の少なくとも一部が前記第１の収納部に配置され、且つ前記発熱部品及び前記放熱部品の残りの部分が前記第２の収納部に配置されるように前記ケースに収納されることを特徴とする請求項１記載の調光装置。
【請求項３】
請求項１又は２記載の複数の調光装置と、前記複数の調光装置が収納される第２のケースとを備え、
前記第２のケースは、前記複数の調光装置が並べて取り付けられる取付部材を有し、
前記ケースからなる第１のケースは、前記取付部材と対向する底面部から前記取付部材側に突出する取付部を有し、前記取付部により前記取付部材に取り付けられ、
前記取付部材は、前記複数の調光装置が取り付けられた状態において、前記複数の調光装置の各々の前記底面部と密着するように前記底面部と対向する部位を前記底面部側に突出させていることを特徴とする調光盤。
【請求項４】
前記第２のケースは、前記複数の調光装置が並ぶ第１の方向と直交する第２の方向における中央部に前記複数の調光装置が配置されることで前記第２の方向における前記複数の調光装置の両側に設けられるスペースと、前記第２のケースの内部と外部とをつなぐ第２の通気孔とを有していることを特徴とする請求項３記載の調光盤。
【発明の詳細な説明】
【技術分野】
【０００１】
本発明は、調光装置及びそれを用いた調光盤に関し、より詳細には、発熱部品を備えた調光装置及びそれを用いた調光盤に関する。
【背景技術】
【０００２】
従来、照明負荷を調光する調光ユニットを複数備えた調光盤が提供されている（例えば特許文献１参照）。特許文献１に記載された調光盤は、複数の調光ユニットと、複数の調光ユニットが収納されるボックスとを備える。
【０００３】
各調光ユニットは、発熱部品であるコイル及びスイッチング素子と、コイル及びスイッチング素子が収納されるケーシングとを有する。ケーシングのうちコイル及びスイッチング素子が収納される部位の両側面は開放されており、通気路を形成している。
【０００４】
一方、複数の調光ユニットが収納されるボックスには冷却ファンが設けられており、この冷却ファンにより形成される空気流によって、コイル及びスイッチング素子の温度上昇を抑えることができる。
【先行技術文献】
【特許文献】
【０００５】
【特許文献１】特開平９−３２０７６８号公報
【発明の概要】
【発明が解決しようとする課題】
【０００６】
上述の特許文献１に示した調光盤は、複数の調光ユニットをボックス内に収納する構造であるため、各調光ユニットのケーシングの両側面が開放されていても外観上問題はない。しかしながら、この調光ユニットを単体で使用する場合、ケーシングの両側面が開放していることでコイル及びスイッチング素子が剥き出しとなり、このままでは使用することができない。
【０００７】
したがって、この調光ユニットを単体で使用する場合には、ケーシングの両側面を塞がなければならず、ケーシングの両側面を塞ぐことでコイル及びスイッチング素子で発生する熱によりケーシングの温度が上昇する。そして、調光ユニットへの電源線や信号線がケーシングに接触している場合には、ケーシングを介して電源線や信号線に熱が伝わり、最悪の場合、電源線や信号線の被覆が変形する可能性があった。
【０００８】
本発明は上記問題点に鑑みて為されており、ケースの温度上昇を抑えた調光装置及びそれを用いた調光盤を提供することを目的とする。
【課題を解決するための手段】
【０００９】
本発明の調光装置は、少なくとも発熱部品が実装される基板と、前記基板が収納されるケースとを備え、前記基板は、前記発熱部品が実装される第１の面を、前記ケースにおける前記第１の面との対向面から離し、且つ前記基板における前記第１の面と反対側の第２の面を、前記ケースにおける前記第２の面との対向面から離した状態で前記ケースに収納されることを特徴とする。
【００１０】
本発明の調光盤は、上記の複数の調光装置と、前記複数の調光装置が収納される第２のケースとを備え、前記第２のケースは、前記複数の調光装置が並べて取り付けられる取付部材を有し、前記ケースからなる第１のケースは、前記取付部材と対向する底面部から前記取付部材側に突出する取付部を有し、前記取付部により前記取付部材に取り付けられ、前記取付部材は、前記複数の調光装置が取り付けられた状態において、前記複数の調光装置の各々の前記底面部と密着するように前記底面部と対向する部位を前記底面部側に突出させていることを特徴とする。
【発明の効果】
【００１１】
本発明の調光装置によれば、基板の第１の面及び第２の面をケースの対向面からそれぞれ離した状態でケースに基板を収納しているので、基板に実装された発熱部品によるケースの温度上昇を抑えることができる。
【００１２】
本発明の調光盤によれば、第２のケースの一部である取付部材を第１のケースの底面部に密着させているので、発熱部品で発生する熱を第１のケースを介して第２のケースに伝えることができ、その結果、放熱性が向上する。
【図面の簡単な説明】
【００１３】
【図１】本発明の実施形態に係る調光装置の断面図である。
【図２】本発明の実施形態に係る調光装置の全体斜視図である。
【図３】本発明の実施形態に係る調光装置の上面図である。
【図４】本発明の実施形態に係る調光装置の概略回路図である。
【図５】本発明の実施形態に係る調光盤の全体斜視図である。
【図６】本発明の実施形態に係る調光盤においてボックス本体を取り外した状態の斜視図である。
【図７】本発明の実施形態に係る調光盤の断面図である。
【発明を実施するための形態】
【００１４】
本発明に係る調光装置１及び調光盤５の実施形態について、図面を参照しながら具体的に説明する。但し、以下に説明する構成は、本発明の一例に過ぎず、本発明は下記の実施形態に限定されることなく、この実施形態以外であっても、本発明に係る技術的思想を逸脱しない範囲であれば、設計等に応じて種々の変更が可能である。
【００１５】
なお以下では、図５中の前後方向を調光装置１及び調光盤５の前後方向、図５中の上下方向を調光装置１及び調光盤５の上下方向、図５中の左右方向を調光装置１及び調光盤５の左右方向と規定して説明を行う。但し、これらの方向は、調光装置１及び調光盤５を取り付ける向きを限定する趣旨ではない。
【００１６】
本実施形態の調光装置１は、図１〜図３に示すように、ケース１０（第１のケース）と、ケース１０に収納される基板１３とを備える。
【００１７】
ケース１０は、例えば板金からなり、前後方向に長い矩形箱状の主ケース１１と、主ケース１１の前後方向（長手方向）における一端部（前端部）に取り付けられる矩形箱状の副ケース１２とを有する。副ケース１２は、幅寸法（左右方向における外側寸法）が主ケース１１と略同じ寸法に設定されており、高さ寸法（上下方向における外側寸法）が主ケース１１よりも低く設定されている。
【００１８】
主ケース１１の上面における前寄りの位置には、コネクタ１６が設けられている。このコネクタ１６は、矩形箱状に形成されたコネクタ本体１６１を有し、コネクタ本体１６１の上面を主ケース１１の上面から露出させた状態で主ケース１１に取り付けられている。コネクタ本体１６１の上面には、一対の孔１６２０及び一対の孔１６２１が設けられている（図３参照）。
【００１９】
一対の孔１６２０は左右方向に並べて設けられ、さらに一対の孔１６２１も左右方向に並べて設けられている（図３参照）。また、一対の孔１６２０は、一対の孔１６２１よりも前側（図３中の上側）に設けられている。さらに、前後方向における一対の孔１６２０と一対の孔１６２１との間には、上向きに突出する仕切り壁１６２２が設けられている。これら一対の孔１６２０，１６２１及び仕切り壁１６２２は、図２及び図３に示すように、上向きに突出する矩形の突壁１６２によって周りが囲まれている。
【００２０】
コネクタ本体１６１の内部には、４本の接続端子Ｔ１，Ｔ２，Ｔ５，Ｔ６（図４参照）が収納されている。接続端子Ｔ１，Ｔ２は、親器２（図４参照）からのＰＷＭ信号（調光信号）が入力される端子であり、一対の孔１６２０を臨むように配置されている。また、接続端子Ｔ５，Ｔ６は、親器２からのＰＷＭ信号に基づいて生成された位相制御信号（位相制御された交流電圧）を出力する端子であり、一対の孔１６２１を臨むように配置されている。
【００２１】
副ケース１２の上面には、コネクタ１５が設けられている。このコネクタ１５は、矩形箱状に形成されたコネクタ本体１５１を有し、副ケース１２の上面に取り付けられている。このコネクタ本体１５１の上面には、一対の孔１５２０及び一対の孔１５２１が設けられている（図３参照）。
【００２２】
一対の孔１５２０は左右方向に並べて設けられ、さらに一対の孔１５２１も左右方向に並べて設けられている（図３参照）。また、一対の孔１５２０は、一対の孔１５２１よりも前側（図３中の上側）に設けられている。さらに、前後方向における一対の孔１５２０と一対の孔１５２１との間には、上向きに突出する仕切り壁１５２２が設けられている。これら一対の孔１５２０，１５２１及び仕切り壁１５２２は、上向きに突出する矩形の突壁１５２によって周りが囲まれている。
【００２３】
コネクタ本体１５１の内部には、４本の接続端子Ｔ３，Ｔ４（残り２本は図示せず）が収納されている。接続端子Ｔ３，Ｔ４は、商用電源４からの交流電力が入力される端子であり、一対の孔１５２０を臨むように配置されている。また、残り２本の接続端子は、隣接する調光装置１に電力を送るための送り線（図示せず）が電気的に接続される端子であり、一対の孔１５２１を臨むように配置されている。
【００２４】
さらに、副ケース１２の上面には、接地線（図示せず）が接続される接地端子を構成するねじ１７が取り付けられている。また、副ケース１２の側面部（前側面部、右側面部及び左側面部）１２１には、副ケース１２の内部と外部とをつなぐ複数の通気孔１２１０（第１の通気孔）が設けられている。
【００２５】
主ケース１１の後端部で且つ下端部には、下向きに突出し且つ先端部（下端部）が後向きに延長されたＬ字状の取付部１４が設けられている。また、副ケース１２の前端部で且つ下端部には、下向きに突出し且つ先端部（下端部）が前向きに延長されたＬ字状の取付部１４が設けられている。各取付部１４には、後述するボックス６の取付部材６１（図６参照）に取り付けるための取付ねじ（図示せず）が通される長孔１４１が設けられている。
【００２６】
基板１３は、図１に示すように、前後方向に長い板状のプリント基板からなり、トライアックＱ１（発熱部品）及びヒートシンク１３７（放熱部品）が実装される第１の面１３１と、基板１３の厚み方向における第１の面１３１と反対側の第２の面１３２とを有する。また、基板１３の第１の面１３１における後寄りの位置には、２個のコネクタ１３８が前後方向に並んで実装されている。
【００２７】
なお、一方のコネクタ１３８には、接続端子Ｔ１，Ｔ２が電気的に接続された電線の先端に設けられたコネクタ（図示せず）が接続される。また、他方のコネクタ１３８には、接続端子Ｔ５，Ｔ６が電気的に接続された電線の先端に設けられたコネクタ（図示せず）が接続される。これにより、接続端子Ｔ１，Ｔ２，Ｔ５，Ｔ６が基板１３と電気的に接続される。
【００２８】
さらに、接続端子Ｔ３，Ｔ４は、基板１３に実装されたコネクタ（図示せず）との間が電線を介して電気的に接続され、送り線が接続される２本の接続端子（図示せず）も、基板１３に実装されたコネクタ（図示せず）との間が電線を介して電気的に接続される。
【００２９】
この基板１３は、図１に示すように、ケース１０における第１の面１３１との対向面から第１の面１３１を離し、且つケース１０における第２の面１３２との対向面から第２の面１３２を離すようにして、ケース１０に収納される。具体的には、市販のロッキングキャップスペーサ１８によって、ケース１０の左側面（図１中の右側面）から所定距離だけ浮かせた状態で基板１３をケース１０に収納している。
【００３０】
このように配置することで、トライアックＱ１で発生した熱がケース１０に伝わりにくくなり、その結果、ケース１０の温度上昇を抑えることができる。
【００３１】
ここで、図１に示すように、前後方向における主ケース１１と副ケース１２の間には隔壁１０１が設けられており、ケース１０の内部空間が前後方向において分割されている。そして、本実施形態では、ヒートシンク１３７の一部が副ケース１２側、ヒートシンク１３７の残りの部分及びトライアックＱ１が主ケース１１側となるように配置されている。
【００３２】
そして、複数の通気孔１２１０が副ケース１２の側面部１２１に設けられているので、トライアックＱ１からヒートシンク１３７に伝えられた熱を空気の対流によって効率よく放熱することができる。ここに、本実施形態では、副ケース１２により第１の収納部が構成され、主ケース１１により第２の収納部が構成されている。
【００３３】
図４は本実施形態の調光装置１の概略回路図である。この調光装置１は、親器２より出力されるＰＷＭ信号（調光信号）に基づいて位相制御された交流電圧を、位相制御信号として照明器具３に出力する。ここで、本実施形態では、照明器具３の光源として白熱灯を用いており、調光装置１より出力される位相制御された交流電圧によって白熱灯を直接駆動している。
【００３４】
調光装置１は、図４に示すように、接続端子Ｔ３，Ｔ４に接続されて雑音防止用のフィルタを構成するコンデンサＣ２及びインダクタＬ１と、自己保持機能を有する双方向性のトライアックＱ１（発熱部品）とを備える。トライアックＱ１が導通（ターンオン）した状態では、商用電源４から照明器具３に交流電圧が供給される。
【００３５】
また、調光装置１は、ダイオードＤ２を介して商用電源４より供給される交流電圧を平滑化する平滑コンデンサＣ３と、平滑コンデンサＣ３からの出力電圧を定電圧に変換する電源ＩＣ１３３とを備える。電源ＩＣ１３３はスイッチング電源であって、平滑コンデンサＣ３の負極端子にはダイオードＤ３が接続されている。
【００３６】
電源ＩＣ１３３の出力端には、インダクタＬ２、コンデンサＣ４及びダイオードＤ４からなる閉回路が接続されている。この閉回路は、インダクタＬ２を流れる回生電流によりコンデンサＣ４を充電することで、トライアックＱ１のゲート端子の電位を他の２つの主端子の電位に対して低電位にする。すなわち、コンデンサＣ４がトライアックＱ１の導通／非導通を制御するために必要な制御電源となる。
【００３７】
商用電源４の一端側には、ダイオードＤ５を介して位相検出回路１３４が接続されている。この位相検出回路１３４は、商用電源４より供給される電源電圧の位相に基づいて同期信号を生成し、後述する制御回路１３５に出力する。例えば、位相検出回路１３４は、商用電源４の電源電圧と所定の閾値とを比較し、商用電源４の電源電圧が上記閾値を上回ると同期信号を立ち上げ、商用電源４の電源電圧が上記閾値を下回ると同期信号を立ち下げる。
【００３８】
トライアックＱ１のゲート端子には、ｎｐｎ型トランジスタからなるスイッチング素子Ｑ２のコレクタ端子が接続されている。また、スイッチング素子Ｑ２のエミッタ端子にはコンデンサＣ４の負極端子が接続され、ベース端子には制御回路１３５が接続されている。
【００３９】
制御回路１３５には、抵抗器Ｒ４及びコンデンサＣ５で構成されたＲＣ回路１３６が接続されている。このＲＣ回路１３６はノイズ対策用の入力回路であり、後述する親器２より出力されるＰＷＭ信号を直流に平滑化し、制御回路１３５に出力する。
【００４０】
また、制御回路１３５は、位相検出回路１３４より与えられる同期信号と、ＲＣ回路１３６を介して親器２より与えられるＰＷＭ信号とに基づいて、スイッチング素子Ｑ２のオン／オフを切り替えるトリガ信号を生成する。このトリガ信号を生成するタイミングは同期信号の立ち上がりのタイミングに基づいて決定され、生成されたトリガ信号はスイッチング素子Ｑ２のベース端子に入力される。
【００４１】
そして、トリガ信号がハイレベルのときにスイッチング素子Ｑ２がオンに切り替わり、トライアックＱ１のゲート端子の電位が他の２つの主端子の電位に対して低電位になることでゲート端子に電流が流れ、トライアックＱ１が導通する。
【００４２】
なお、トリガ信号の立ち上がりタイミングは親器２より出力されるＰＷＭ信号によって変化し、例えば調光率が大きい場合には、トリガ信号の立ち上がりを早くすることでトリガ信号のパルス幅を大きくする。また、調光率が小さい場合には、トリガ信号の立ち上がりを遅くすることでトリガ信号のパルス幅を小さくする。
【００４３】
これにより、照明器具３に印加される電源電圧の導通期間を変化させることができ、親器２より出力されるＰＷＭ信号を位相制御信号に変換することができる。なお、図示は省略するが、上述の各回路は基板１３に実装されている。
【００４４】
親器２は、左右方向に長い矩形箱状に形成されたケース２１を有し、壁面などの造営材に取り付けられる。ケース２１の前面には、複数（図４では４個）のシーン選択ボタン２２と、ＯＮ／ＯＦＦボタン２３と、アップボタン２４及びダウンボタン２５と、受光部２６とが左右方向に並べて設けられている。
【００４５】
ここで、調光装置１の記憶部（図示せず）には、照明器具３による各種の照明シーン（例えば明るさやフェード時間など）が、各シーン選択ボタン２２に対応する形で記憶されている。そして、利用者によって何れかのシーン選択ボタン２２が押されると、押されたシーン選択ボタン２２に応じた照明シーンが実現される。ＯＮ／ＯＦＦボタン２３は、照明器具３を点灯／消灯させるボタンであり、ＯＮ／ＯＦＦボタン２３が一度押されると照明器具３が点灯し、再度押されると照明器具３が消灯する。
【００４６】
アップボタン２４は、照明器具３の明るさを明るくするためのボタンであり、アップボタン２４を押す毎に明るさが段階的に明るくなる。また、ダウンボタン２５は、照明器具３の明るさを暗くするためのボタンであり、ダウンボタン２５を押す毎に明るさが段階的に暗くなる。受光部２６は、例えばワイヤレスリモコン（図示せず）から出力される赤外線信号を受光する。
【００４７】
次に、本実施形態に係る調光盤５について、図５〜図７を参照しながら説明する。本実施形態の調光盤５は、上述した調光装置１と、調光装置１が収納されるボックス６（第２のケース）とを備える。
【００４８】
ボックス６は、ボックス本体６０と、ボックス本体６０に取り付けられる取付部材６１とを備える。
【００４９】
ボックス本体６０は、図５に示すように、左右方向に長く且つ下面が開口する矩形箱状に形成されている。ボックス本体６０の左右方向における両側面部６０１には、上下方向に長く開口する複数のスリット６０１０が前後方向における両側にそれぞれ設けられている。
【００５０】
取付部材６１は、図６に示すように、左右方向に長い矩形板状に形成された主部６１１を有する。主部６１１の前後方向における両端部には、下向きに突出し且つ先端部（下端部）が外向き（主部６１１と反対向き）に折り曲げられたＬ字状の取付部６１２がそれぞれ一体に形成されている。各取付部６１２において調光装置１の取付部１４の長孔１４１に対応する位置には、長孔１４１に通された取付ねじ（図示せず）がねじ込まれるねじ孔（図示せず）が左右方向に沿って複数（本実施形態では６個）設けられている。
【００５１】
また、主部６１１の左右方向における両端部には、下向きに突出し且つ先端部（下端部）が外向き（主部６１１と反対向き）に折り曲げられたＬ字状の取付部６１３がそれぞれ一体に形成されている。各取付部６１３の前後方向における両端寄りの位置には、ボックス６を造営材（例えば天井など）に取り付けるための取付ねじ（図示せず）が通される貫通孔６１３０がそれぞれ設けられている。なお、各取付部６１３の前後方向における長さ寸法は主部６１１よりも長く設定されている。
【００５２】
この取付部材６１は、ボックス本体６０の下面開口を覆うようにして、適宜の取付方法によってボックス本体６０に取り付けられる。
【００５３】
ここで、上述の調光装置１は、図６に示すように、取付部材６１の主部６１１に沿って左右方向（第１の方向）に並べて取り付けられる。このとき、各調光装置１の取付部１４は、取付部材６１の取付部６１２に沿って配置され、主部６１１の上面がケース１０の底面部に接触した状態になる。つまり、取付部材６１におけるケース１０の底面部と対向する部位（主部６１１）を上向き（ケース１０に近づく向き）に突出させることで、取付部材６１とケース１０とが密着した状態になる。
【００５４】
これにより、ケース１０に収納された基板１３上のトライアックＱ１で発生した熱を、ケース１０を介して取付部材６１に伝えることができる。また、取付部材６１はボックス本体６０に接触しているため、ケース１０から伝えられた熱をボックス本体６０に伝えることができる。その結果、トライアックＱ１で発生する熱を効率よく放熱することができる。
【００５５】
図７は本実施形態の調光盤５の断面図である。図７によれば、調光装置１は、ボックス本体６０の内部であって、且つ前後方向（第２の方向）における中央部に配置されており、調光装置１の前後方向（図７中の左右方向）における両側にはスペース６２がそれぞれ形成されている。そのため、これらのスペース６２を利用して、商用電源４からの電源線や照明器具３への信号線を配線することができる。
【００５６】
また、本実施形態では、ボックス本体６０の左右方向における側面部６０１においてスペース６２と対向する位置に複数のスリット６０１０を設けているため、スペース６２を対流経路として利用することもできる。その結果、トライアックＱ１で発生する熱をさらに効率よく放熱することができる。
【００５７】
なお、本実施形態では、ヒートシンク１３７の一部を副ケース１２側に配置したが、トライアックＱ１及びヒートシンク１３７の少なくとも一部が副ケース１２側に配置されていればよく、本実施形態に限定されない。また、本実施形態では、ボックス本体６０の左右方向における両側面部６０１に複数のスリット６０１０（第２の通気孔）を設けたが、第２の通気孔は、ボックス本体６０の内部と外部とをつなぐように設けられていれば、他の位置であってもよい。
【００５８】
さらに、本実施形態では、位相制御された交流電圧により白熱灯を直接調光点灯させる調光装置１を例に説明したが、位相制御された交流電圧を調光信号として照明器具３に出力する調光装置１であってもよい。例えば、照明器具３の光源が発光ダイオード（ＬＥＤ）である場合、調光装置１は、位相制御された交流電圧を調光信号として照明器具３に出力する。そして、照明器具３は、上記調光信号に基づいた調光レベルで発光ダイオードを点灯させる。
【００５９】
また、照明器具３の光源は、上述の白熱灯や発光ダイオードに限らず、蛍光灯であってもよいし、その他の光源であってもよい。
【００６０】
以上説明したように、本実施形態の調光装置１は、少なくともトライアックＱ１（発熱部品）が実装される基板１３と、基板１３が収納されるケース１０（第１のケース）とを備える。基板１３は、トライアックＱ１が実装される第１の面１３１と、基板１３における第１の面１３１と反対側の第２の面１３２とを有する。そして、基板１３は、ケース１０における第１の面１３１との対向面から第１の面１３１を離し、且つケース１０における第２の面１３２との対向面から第２の面１３２を離した状態でケース１０に収納される。
【００６１】
また、本実施形態の調光装置１のように、トライアックＱ１に熱的に結合されたヒートシンク１３７（放熱部品）が基板１３に実装されているのが好ましい。この場合、ケース１０は、内部に設けられた隔壁１０１により分割された副ケース１２（第１の収納部）及び主ケース１１（第２の収納部）を有する。副ケース１２の側面部１２１には、ケース１０の内部と外部とをつなぐ通気孔１２１０（第１の通気孔）が設けられている。基板１３は、トライアックＱ１及びヒートシンク１３７の少なくとも一部が副ケース１２に配置され、且つトライアックＱ１及びヒートシンク１３７の残りの部分が主ケース１１に配置されるようにケース１０に収納される。
【００６２】
本実施形態の調光盤５は、複数の調光装置１と、複数の調光装置１が収納されるボックス６（第２のケース）とを備える。ボックス６は、複数の調光装置１が並べて取り付けられる取付部材６１を有する。ケース１０は、取付部材６１と対向する底面部から取付部材６１側に突出する取付部１４を有し、取付部１４により取付部材６１に取り付けられる。取付部材６１は、複数の調光装置１が取り付けられた状態において、複数の調光装置１の各々の底面部と密着するように底面部と対向する部位を底面部側に突出させている。
【００６３】
また、本実施形態の調光盤５のように、複数の調光装置１が並ぶ第１の方向と直交する第２の方向におけるボックス６の中央部に複数の調光装置１が配置されるのが好ましい。この場合、ボックス６は、第２の方向における複数の調光装置１の両側に設けられるスペース６２と、ボックス６の内部と外部とをつなぐスリット６０１０（第２の通気孔）とを有する。
【符号の説明】
【００６４】
１  調光装置
１０  ケース（第１のケース）
１３  基板
１３１  第１の面
１３２  第２の面
Ｑ１  トライアック（発熱部品）
【図１】
2015204204.tif 000003
【図２】
2015204204.tif 000004
【図３】
2015204204.tif 000005
【図４】
2015204204.tif 000006
【図５】
2015204204.tif 000007
【図６】
2015204204.tif 000008
【図７】
2015204204.tif 000009